(57)【要約】【課題】宛先に対する印刷内容を印刷後に容易に確認することができ、更に、印刷内容をクロスメディア展開する場合でも印刷内容を確認することができる印刷処理装置およびプログラムを提供する。【解決手段】原稿構成指示部が原稿構成の指示を受け付けると、原稿構成部が印刷文書の特定情報に応じた原稿構成ルールを原稿構成ルール定義部から取得し、原稿構成部が原稿構成ルールに従って印刷内容データおよび印刷内容データＩＤを印刷内容ＤＢから取得し、原稿構成部が印刷文書、印刷内容データおよび印刷内容データＩＤから印刷原稿を構成し、印刷画像生成部が印刷原稿から印刷画像を生成し、コード画像生成部が印刷内容データＩＤからコード画像を生成し、コード画像付加部がコード画像を印刷画像に付加し、出力部が印刷画像を出力する。【選択図】図１
2008146214.tif 000002
【特許請求の範囲】
【請求項１】
設計された印刷文書および該印刷文書の特定情報に応じた印刷内容データに基づいて印刷原稿の構成を行う印刷処理装置において、
前記特定情報に応じた印刷原稿を構成するための原稿構成ルールを定義する原稿構成ルール定義手段と、
前記印刷内容データおよび該印刷内容データに関連する少なくとも１つの識別情報を保管する印刷内容保管手段と、
印刷文書から印刷原稿への構成の指示を受け付けた際に、前記原稿構成ルール定義部で定義された原稿構成ルールに従って、該印刷文書の特定情報に応じた印刷内容データおよび該印刷内容データに関連する少なくとも１つの識別情報を前記印刷内容保管手段から取得する取得手段と、
前記取得手段で取得した印刷内容データおよび前記印刷文書に基づいて印刷原稿を構成する印刷原稿構成手段と、
前記印刷原稿構成手段で構成した印刷原稿に基づいて印刷可能な形式の印刷画像を生成する印刷画像生成手段と、
前記取得手段で取得した識別情報の全てを示す識別コードを生成する識別コード生成手段と、
前記印刷画像生成手段で生成した印刷画像に、前記識別コード生成手段で生成した識別コードを付加する識別コード付加手段と、
前記識別コード付加手段で前記識別コードを付加した印刷画像を出力装置に対して出力する出力手段と
を具備することを特徴とする印刷処理装置。
【請求項２】
前記印刷原稿構成手段は、
前記印刷文書に指定された特定の印刷内容データ挿入フィールドに、前記印刷内容データを挿入することで前記印刷原稿を構成し、
前記構成した印刷原稿に前記少なくとも１つの識別情報を保持させる
ことを特徴とする請求項１記載の印刷処理装置。
【請求項３】
前記識別コード生成手段は、
前記少なくとも１つの識別情報から該識別情報の一覧を作成し、
前記作成した識別情報の一覧を示す識別コードを生成する
ことを特徴とする請求項１記載の印刷処理装置。
【請求項４】
前記識別コード生成手段で生成した識別情報の一覧を保管する識別情報一覧保管手段
を更に具備することを特徴とする請求項１記載の印刷処理装置。
【請求項５】
設計された印刷文書および該印刷文書の特定情報に応じた印刷内容データに基づいて印刷原稿の構成を行う印刷処理プログラムにおいて、
印刷文書から印刷原稿への構成の指示を受け付けた際に、該印刷文書の特定情報に応じた印刷原稿を構成するために定義された原稿構成ルールに従って、該印刷文書の特定情報に応じた印刷内容データおよび該印刷内容データに関連する少なくとも１つの識別情報を取得する処理と、
前記取得した印刷内容データおよび前記印刷文書に基づいて印刷原稿を構成する処理と、
前記構成した印刷原稿に基づいて印刷可能な形式の印刷画像を生成する処理と、
前記取得した識別情報の全てを示す識別コードを生成する処理と、
前記生成した印刷画像に、前記生成した識別コードを付加する処理と、
前記識別コードを付加した印刷画像を出力装置に対して出力する処理と
をコンピュータに動作させることを特徴とする印刷処理プログラム。
【請求項６】
前記印刷原稿を構成する処理を行う際に、
前記印刷文書に指定された特定の印刷内容データ挿入フィールドに、前記印刷内容データを挿入することで前記印刷原稿を構成する処理と、
前記構成した印刷原稿に前記少なくとも１つの識別情報を保持させる処理と
をコンピュータに動作させることを特徴とする請求項５記載の印刷処理プログラム。
【請求項７】
前記識別コードを生成する処理を行う際に、
前記少なくとも１つの識別情報から該識別情報の一覧を作成する処理と、
前記作成した識別情報の一覧を示す識別コードを生成する処理と
をコンピュータに動作させることを特徴とする請求項５記載の印刷処理プログラム。
【請求項８】
前記識別コード生成手段で生成した識別情報の一覧を記憶領域に保存する処理
をコンピュータに動作させることを特徴とする請求項５記載の印刷処理プログラム。
【発明の詳細な説明】
【技術分野】
【０００１】
本発明は、印刷処理装置およびプログラムに関し、特に、１つの紙面パターンを多数印刷する際に、１枚毎に紙面の一部が差し替えられる印刷を行なう印刷処理装置およびプログラムに関する。
【背景技術】
【０００２】
ダイレクトメール等のような特定宛先へ送信する文書の印刷を行なう場合、印刷データの設計・作成および印刷・封緘処理を別の業者が行なうことが一般的であり、この場合、最終的な印刷物が設計どおりになっていることを確認する必要があるため、出力検証を行うためのシステムが求められている。
【０００３】
例えば、文書番号を示すバーコードを文書に印刷し、受領者は文書のバーコードをバーコードリーダーで読み取り、読み取った文書番号は管理コンピュータに送信され、管理コンピュータ上で文書番号を照合することで、文書が受領されたことを確認する文書の受領管理方法がある（例えば、特許文献１参照。）。
【０００４】
更に、例えば、印刷物を構成するページに宛先情報を含むＩＤを示すバーコードを印刷し、このバーコードを照合することで、印刷内容と宛先とが一致することを確認する冊子作製システム及びこれにより作製された冊子がある（例えば、特許文献２参照。）。
【特許文献１】特開２００４−１５７６２９号公報
【特許文献２】特開２００２−４６３６５号公報
【発明の開示】
【発明が解決しようとする課題】
【０００５】
近年、大量のダイレクトメール、クレジットカードの請求書等の印刷を高速化し、生産性を高めるため、共通データであるフォームデータを印刷装置に予め登録し、印刷時に個人情報等のバリアブルデータと登録したフォームデータとを合成して印刷するバリアブル印刷が利用されているが、バリアブル印刷では印刷内容が宛先者毎に動的に構成されるため、宛先のみでなく、実際に印刷された印刷内容が設計したとおりの宛先者に該当するものであるかを確認する機能が求められている。
【０００６】
しかし、現状のバリアブル印刷の出力検証機能では、ページ内の印刷内容に正しい内容が含まれているかを確認することは困難であり、更に、印刷物と印刷内容をＰＤＦ・ＨＴＭＬとの電子メディアとしても使用したい場合にも対応することが困難である。
【０００７】
そこで、本発明は、宛先に対する印刷内容を印刷後に容易に確認することができ、更に、印刷内容をクロスメディア展開する場合でも印刷内容を確認することができる印刷処理装置およびプログラムを提供することを目的とする。
【課題を解決するための手段】
【０００８】
上記目的を達成するため、請求項１の発明は、設計された印刷文書および該印刷文書の特定情報に応じた印刷内容データに基づいて印刷原稿の構成を行う印刷処理装置において、前記特定情報に応じた印刷原稿を構成するための原稿構成ルールを定義する原稿構成ルール定義手段と、前記印刷内容データおよび該印刷内容データに関連する少なくとも１つの識別情報を保管する印刷内容保管手段と、印刷文書から印刷原稿への構成の指示を受け付けた際に、前記原稿構成ルール定義部で定義された原稿構成ルールに従って、該印刷文書の特定情報に応じた印刷内容データおよび該印刷内容データに関連する少なくとも１つの識別情報を前記印刷内容保管手段から取得する取得手段と、前記取得手段で取得した印刷内容データおよび前記印刷文書に基づいて印刷原稿を構成する印刷原稿構成手段と、前記印刷原稿構成手段で構成した印刷原稿に基づいて印刷可能な形式の印刷画像を生成する印刷画像生成手段と、前記取得手段で取得した識別情報の全てを示す識別コードを生成する識別コード生成手段と、前記印刷画像生成手段で生成した印刷画像に、前記識別コード生成手段で生成した識別コードを付加する識別コード付加手段と、前記識別コード付加手段で前記識別コードを付加した印刷画像を出力装置に対して出力する出力手段とを具備することを特徴とする。
【０００９】
また、請求項２の発明は、請求項１の発明において、前記印刷原稿構成手段は、前記印刷文書に指定された特定の印刷内容データ挿入フィールドに、前記印刷内容データを挿入することで前記印刷原稿を構成し、前記構成した印刷原稿に前記少なくとも１つの識別情報を保持させることを特徴とする。
【００１０】
また、請求項３の発明は、請求項１の発明において、前記識別コード生成手段は、前記少なくとも１つの識別情報から該識別情報の一覧を作成し、前記作成した識別情報の一覧を示す識別コードを生成することを特徴とする。
【００１１】
また、請求項４の発明は、請求項１の発明において、前記識別コード生成手段で生成した識別情報の一覧を保管する識別情報一覧保管手段を更に具備することを特徴とする。
【００１２】
また、請求項５の発明は、設計された印刷文書および該印刷文書の特定情報に応じた印刷内容データに基づいて印刷原稿の構成を行う印刷処理プログラムにおいて、印刷文書から印刷原稿への構成の指示を受け付けた際に、該印刷文書の特定情報に応じた印刷原稿を構成するために定義された原稿構成ルールに従って、該印刷文書の特定情報に応じた印刷内容データおよび該印刷内容データに関連する少なくとも１つの識別情報を取得する処理と、前記取得した印刷内容データおよび前記印刷文書に基づいて印刷原稿を構成する処理と、前記構成した印刷原稿に基づいて印刷可能な形式の印刷画像を生成する処理と、前記取得した識別情報の全てを示す識別コードを生成する処理と、前記生成した印刷画像に、前記生成した識別コードを付加する処理と、前記識別コードを付加した印刷画像を出力装置に対して出力する処理とをコンピュータに動作させることを特徴とする。
【００１３】
また、請求項６の発明は、請求項５の発明において、前記印刷原稿を構成する処理を行う際に、前記印刷文書に指定された特定の印刷内容データ挿入フィールドに、前記印刷内容データを挿入することで前記印刷原稿を構成する処理と、前記構成した印刷原稿に前記少なくとも１つの識別情報を保持させる処理とをコンピュータに動作させることを特徴とする。
【００１４】
また、請求項７の発明は、請求項５の発明において、前記識別コードを生成する処理を行う際に、前記少なくとも１つの識別情報から該識別情報の一覧を作成する処理と、前記作成した識別情報の一覧を示す識別コードを生成する処理とをコンピュータに動作させることを特徴とする。
【００１５】
また、請求項８の発明は、請求項５の発明において、前記識別コード生成手段で生成した識別情報の一覧を記憶領域に保存する処理をコンピュータに動作させることを特徴とする。
【発明の効果】
【００１６】
本発明によれば、印刷結果として印字されている印刷内容に関する情報を示す二次元コード、バーコード等を読み取ることで、宛先等に対応して動的に決定する印刷内容を容易に確認することができるという効果を奏する。
【発明を実施するための最良の形態】
【００１７】
以下、本発明に係る印刷処理装置およびプログラムの実施の形態について添付図面を参照して詳細に説明する。
【００１８】
図１は、本発明に係る印刷処理装置１の機能的な構成の一例を示すブロック図である。
【００１９】
印刷処理装置１は、アプリケーション等で設計されたダイレクトメール等の文書（以後、印刷文書と称する）に指定された特定の印刷内容データ挿入フィールドに、当該印刷文書の特定情報（例えば、宛先等）に応じた文書、画像等の印刷内容データを挿入することで、パーソナライズ（ユーザ個々人を特定・識別し、その特定情報等に合わせて提供するサービスやコンテンツをかえること）されたデータ（以後、印刷原稿と称する）を構成し、当該印刷原稿にＲＩＰ［Raster Image Processor］処理（プリンタ制御コードで記述された画像データを印刷または表示が可能なビットマップデータに展開する処理）等を施して出力用の画像（以後、印刷画像と称する）を作成して印刷装置１１、電子原稿作成装置１２等の出力装置に出力する装置である。
【００２０】
図１に示すように、印刷処理装置１は、原稿構成指示部２、印刷内容ＤＢ３、原稿構成ルール定義部４、原稿構成部５、印刷画像生成部６、コード画像生成部７、印刷内容データＩＤ一覧保管部８、コード画像付加部９、出力部１０を具備して構成される。
【００２１】
なお、印刷処理装置１はハードウェア的には汎用のサーバコンピュータで実現でき、各構成要素が有する処理機能は、サーバコンピュータ上で本発明に係る印刷処理プログラムを起動させることによって発揮され、この場合には、プログラムの組み方により機能的には同一となるが、必ずしも図１に示す構成と同一になるとは限らない。また、各構成要素をＩＣ等を用いてハードウェアによる構築で構成することも可能である。
【００２２】
原稿構成指示部２は、印刷原稿の構成を指示する処理を行なう。具体的には、印刷原稿の構成を指示するとともに、印刷原稿の元となる印刷文書および当該印刷文書のパーソナライズデータである特定情報を入力する。
【００２３】
印刷内容ＤＢ３は、印刷文書の印刷内容データ挿入フィールドに挿入する印刷内容データ、および当該印刷内容データに関連する任意の情報（以後、印刷内容データＩＤと称する）を保管する。印刷内容データＩＤとは、具体的には、保存場所を示すＵＲＬ、印刷内容データの取得方法を示すＳＱＬ［Structured Query Language］文、印刷内容データ内で保持されるメタデータを示すものである。
【００２４】
原稿構成ルール定義部４は、原稿構成指示部２で入力された印刷文書の特定情報に応じた印刷原稿を構成するためのルール（即ち、特定情報に応じた印刷内容データを取得するためのルール）を定義する処理を行なう。
【００２５】
原稿構成部５は、原稿構成ルール定義部４で定義された原稿構成ルールに従って、原稿構成指示部２で入力された印刷文書の特定情報に応じた印刷内容データを印刷内容ＤＢ３から取得し、取得した印刷内容データを当該印刷文書の印刷内容データ挿入フィールドに挿入することで印刷原稿を構成するとともに、当該印刷内容データの少なくとも１つの印刷内容データＩＤを印刷内容ＤＢ３から取得し、取得した印刷内容データＩＤを構成した印刷原稿中に保持する。なお、印刷内容データＩＤは印刷されない形（即ち、印刷画像生成部６において印刷画像に含まれない形）で保持される。
【００２６】
印刷画像生成部６は、原稿構成部５で構成した印刷原稿から印刷画像を生成する処理を行う。
【００２７】
コード画像生成部７は、原稿構成部５で印刷原稿中に保持された少なくとも１つの印刷内容データＩＤから印刷内容データＩＤ一覧を作成し、作成した印刷内容データＩＤ一覧から２次元コード等のコード画像を生成する処理を行う。
【００２８】
印刷内容データＩＤ一覧保管部８は、コード画像生成部７で作成した印刷内容データＩＤ一覧を保管する。
【００２９】
コード画像付加部９は、印刷画像生成部６で生成した印刷画像に、コード画像生成部７で生成したコード画像を付加する処理を行う。
【００３０】
出力部１０は、コード画像付加部９でコード画像を付加した印刷画像を、印刷画像を用紙等に印字する印刷装置１１または印刷画像から電子データ等を作成する電子原稿作成装置１２に出力する処理を行う。
【００３１】
次に、印刷処理装置１で行われる具体的な処理について説明する。
【００３２】
図２は、印刷原稿が構成されるまでの処理について説明する図である。
【００３３】
原稿構成部５は、原稿構成指示部２から原稿構成の指示、印刷文書１３および印刷文書１３の特定情報を受け付けると、原稿構成ルール定義部４で定義された原稿構成ルール１４に従って、印刷内容データＤＢ３から印刷文書１３の特定情報に応じた「印刷内容データ．１」および「印刷内容データ．２」を取得し、取得した「印刷内容データ．１」を印刷文書１３の「印刷内容データ挿入フィールド．１」１５１に挿入するとともに、取得した「印刷内容データ．２」を印刷文書１３の「印刷内容データ挿入フィールド．２」１５２に挿入することで印刷原稿１６を構成する。
【００３４】
更に、原稿構成部５は、印刷内容ＤＢ３から「印刷内容データ．１」の「印刷内容データＩＤ．１１」、「印刷内容データＩＤ．１２」および「印刷内容データＩＤ．１３」を取得して印刷原稿に保持し、印刷内容ＤＢから「印刷内容データ．２」の「印刷内容データＩＤ．２１」、「印刷内容データＩＤ．２２」、「印刷内容データＩＤ．２３」および「印刷内容データＩＤ．２４」を取得して印刷原稿１６に保持させる。
【００３５】
図３は、印刷画像にコード画像が付加されるまでの処理について説明する図である。
【００３６】
印刷画像生成部６は、原稿構成部５から「印刷内容データ．１」および「印刷内容データ．２」が挿入された印刷原稿１６を受け付けると、印刷原稿１６から印刷画像１７を生成する。
【００３７】
コード画像生成部７は、原稿構成部５から「印刷内容データ．１」の「印刷内容データＩＤ．１１」、「印刷内容データＩＤ．１２」および「印刷内容データＩＤ．１３」と「印刷内容データ．２」の「印刷内容データＩＤ．２１」、「印刷内容データＩＤ．２２」、「印刷内容データＩＤ．２３」および「印刷内容データＩＤ．２４」とを受け付けると、「印刷内容データ．１」の３つの印刷内容データＩＤおよび「印刷内容データ．２」の４つの印刷内容データＩＤから印刷内容データＩＤ一覧１８を作成し、作成した印刷内容データＩＤ一覧１８からＱＲコード１９を生成するとともに、印刷内容データＩＤ一覧１８を印刷内容データＩＤ一覧保管部８に保存する。
【００３８】
コード画像付加部９は、印刷画像生成部６から「印刷内容データ．１」および「印刷内容データ．２」が挿入された印刷画像１７を受け付けるとともに、コード画像生成部７から「印刷内容データ．１」の３つの印刷内容データＩＤおよび「印刷内容データ．２」の４つの印刷内容データＩＤを示すＱＲコード１９を受け付けると、印刷画像１７にＱＲコード１９を付加する。
【００３９】
そして、ＱＲコード１９が付加された印刷画像１７は印刷装置１１または電子原稿作成装置１２に出力され、種々の形態で出力される（印刷装置１１では用紙に印字され、電子原稿作成装置１２では電子原稿が作成される）。
【００４０】
図４に示すように、用紙に印字された（または、電子原稿として画面に表示された）ＱＲコード１９をＱＲコードスキャナ２０で読み取ると、実際の用紙に印字されている「印刷内容データ．１」に関連する「印刷内容データＩＤ．１１」、「印刷内容データＩＤ．１２」および「印刷内容データＩＤ．１３」と、実際の用紙に印字されている「印刷内容データ．２」の「印刷内容データＩＤ．２１」、「印刷内容データＩＤ．２２」、「印刷内容データＩＤ．２３」および「印刷内容データＩＤ．２４」とを全て抽出することができ、印刷画像１７の受領者は印刷内容を容易に確認することができる。
【００４１】
なお、印刷画像１７を電子原稿作成装置１２に出力する場合、印刷内容データＩＤ一覧１８からＱＲコード１９を生成しないで（即ち、印刷画像１７にＱＲコード１９を付加しないで）、全ての印刷内容データＩＤをそのまま電子原稿作成装置１２に出力し、電子原稿作成装置１２が印刷内容データＩＤを注釈等のメタデータとして電子原稿に保持させることもできる。
【００４２】
次に、印刷処理装置で行なわれる処理について図５に示すフローチャートを参照して説明する。
【００４３】
原稿構成指示部が原稿構成の指示を受け付けると（ステップＳ５０１）、原稿構成部が印刷文書の特定情報に応じた原稿構成ルールを原稿構成ルール定義部から取得し（ステップＳ５０２）、原稿構成部が原稿構成ルールに従って印刷内容データおよび印刷内容データＩＤを印刷内容ＤＢから取得し（ステップＳ５０３）、原稿構成部が印刷文書、印刷内容データおよび印刷内容データＩＤから印刷原稿を構成し（ステップＳ５０４）、印刷画像生成部が印刷原稿から印刷画像を生成し（ステップＳ５０５）、コード画像生成部が印刷内容データＩＤからコード画像を生成し（ステップＳ５０６）、コード画像付加部がコード画像を印刷画像に付加し（ステップＳ５０７）、出力部が印刷画像を出力し（ステップＳ５０８）、処理の手順を終了する。
【００４４】
なお、本発明は、上記し、且つ図面に示した実施例に限定することなく、その要旨を変更しない範囲内で適宜変形して実施できるものである。
【図面の簡単な説明】
【００４５】
【図１】本発明に係る印刷処理装置の機能的な構成の一例を示すブロック図である。
【図２】印刷原稿が構成されるまでの処理について説明する図である。
【図３】印刷画像にコード画像が付加されるまでの処理について説明する図である。
【図４】コード画像を読み取ることで、印刷内容データＩＤ一覧を確認する処理について説明する図である。
【図５】印刷処理装置で行なわれる処理を示すフローチャートである。
【符号の説明】
【００４６】
１    印刷処理装置
２    原稿構成指示部
３    印刷内容ＤＢ
４    原稿構成ルール定義部
５    原稿構成部
６    印刷画像生成部
７    コード画像生成部
８    印刷内容データＩＤ一覧保管部
９    コード画像付加部
１０    出力部
１１    印刷装置
１２    電子原稿作成装置
１３    印刷文書
１４    原稿構成ルール
１５１    印刷内容データ挿入フィールド．１
１５２    印刷内容データ挿入フィールド．２
１６    印刷原稿
１７    印刷画像
１８    印刷内容データＩＤ一覧
１９    ＱＲコード
２０    ＱＲコードスキャナ
【図１】
2008146214.tif 000003
【図２】
2008146214.tif 000004
【図３】
2008146214.tif 000005
【図４】
2008146214.tif 000006
【図５】
2008146214.tif 000007